【手続補正書】
【提出日】平成16年11月14日(2004.11.14)
【手続補正１】
【補正対象書類名】明細書
【補正対象項目名】請求項１
【補正方法】変更
【補正の内容】
【請求項１】
回転子の外側に、所定のエヤーギャップを介して対向する磁極歯部を備えた固定子を配置したインナーロータ形の誘導電動機において、前記固定子に、軸方向に分割してリング状に複数のコイルを巻装し、前記各コイルのリングの中心と回転軸の中心が概ね一致するように配置して、前記各コイルの外周側と軸方向両端側に、夫々磁気回路を構成する固定子鉄心を設ける。そして、前記固定子鉄心の内周側には、前記磁極歯部が当該コイルを挟んで回転軸の周方向に電気角でπ（ｒａｄ）ずれた位置に交互に形成されており、更に各コイルの前記磁極歯部を、回転軸の周方向に所定の角度ずらして、軸方向に重ね合わせたように構成されている事を特徴とする誘導電動機。
【手続補正２】
【補正対象書類名】明細書
【補正対象項目名】０００５
【補正方法】変更
【補正の内容】
【０００５】
【課題を解決するための手段】上述の目的を達成するために、この発明による誘導電動機は、固定子に軸方向に分割してリング状に複数のコイルを巻装し、各コイルのリングの中心と回転軸の中心が概ね一致するように配置して、各コイルの外周側と軸方向両端側に夫々磁気回路を構成する固定子鉄心を設け、この内周側に磁極歯部が当該コイルを挟んで回転軸の周方向に互いに電気角でπ（ｒａｄ）ずれた位置に交互に形成され、更に、各コイルの磁極歯部を回転軸の周方向に所定の角度ずらして軸方向に重ね合わせたように構成されているものである。


【手続補正３】
【補正対象書類名】明細書
【補正対象項目名】００１６
【補正方法】変更
【補正の内容】
【００１６】  図３（ａ）〜図３（ｄ）は、側面固定子鉄心２４〜２７と、これの内周側に形成された凸形の磁極歯部３０〜３３の構成を、図１の反負荷側から負荷側（軸端側）へ透かして見た図であり、他の構成部品は図中省略している。図３（ａ）は、Ａ相コイル１０の反負荷側の側面固定子鉄心２４であり、磁極歯部３０は、その周方向の中心が、時計の１２時と６時の位置となるように２箇所に形成されている。図３（ｂ）は、Ａ相コイル１０の負荷側の側面固定子鉄心２５であり、磁極歯部３１は、その周方向の中心が、反負荷側の側面固定子鉄心２４に形成された磁極歯部３０の中心に対し、電気角でπ（ｒａｄ）ずれた位置に形成されている。この結果、背面固定子鉄心２１（図中省略）を通して４極の磁極が、Ａ相コイル１０を挟んで側面固定子鉄心２４・２５の磁極歯部３０・３１により、内周側の周方向に交互に形成される。


【手続補正４】
【補正対象書類名】明細書
【補正対象項目名】００１７
【補正方法】変更
【補正の内容】
【００１７】  図３（ｃ）は、Ｂ相コイル１１の反負荷側の側面固定子鉄心２６であり、磁極歯部３２は、その周方向の中心が、Ａ相コイル１０の反負荷側の側面固定子鉄心２４に形成された磁極歯部３０の中心に対し、電気角でπ／２（ｒａｄ）ずらして構成されている。図３（ｄ）は、Ｂ相コイル１１の負荷側の側面固定子鉄心２７であり、磁極歯部３３は、その周方向の中心が、反負荷側の側面固定子鉄心２６に形成された磁極歯部３２の中心に対し、電気角でπ（ｒａｄ）ずれた位置に形成されている。この結果、Ａ相コイル１０の主巻線による磁極歯部３０・３１に対し、電気角でπ／２（ｒａｄ）離れた位置に、背面固定子鉄心２２（図中省略）を通して４極の磁極が、Ｂ相コイル１１を挟んで側面固定子鉄心２６・２７の磁極歯部３２・３３により、内周側の周方向に交互に形成される。


【手続補正５】
【補正対象書類名】明細書
【補正対象項目名】００１９
【補正方法】変更
【補正の内容】
【００１９】  この実施の形態のものにおいては、例えば、Ａ相コイル１０により発生した磁束は、外周側の背面固定子鉄心２１→側面固定子鉄心２４→磁極歯部３０→所定のエヤーギャップ→カゴ形回転子８０→所定のエヤーギャップ→磁極歯部３１→側面固定子鉄心２５→背面固定子鉄心２１と巡る磁路を構成し、リング状のコイル１０により軸方向に発生した磁束の変化を、回転方向の磁束の変化に変えることができる。Ｂ相コイル１１により発生した磁束も、電源との間に接続されたコンデンサ１４による位相差に対応して、磁極歯部３２・３３を周方向に電気角でπ／２（ｒａｄ）ずらしているため同様に作用させることができ、この結果、コイル１０・１１により回転軸９０を中心とする二相の回転（移動）磁界が発生し、電磁誘導作用により、カゴ形回転子８０を回転駆動させることができる。更に、コンデンサ１４の接続位置を変更する等により、従来のコンデンサモータと同様に回転軸９０を逆回転させることができる。


【手続補正６】
【補正対象書類名】明細書
【補正対象項目名】００２５
【補正方法】変更
【補正の内容】
【００２５】  図６（ａ）〜図６（ｆ）は、側面固定子鉄心２４〜２９とこれの内周側に形成された凸形の磁極歯部３０〜３５の構成を、図４の反負荷側から負荷側（軸端側）へ透かして見た図であり、他の構成部品は図中省略している。図６（ａ）は、Ｕ相コイル１０の反負荷側の側面固定子鉄心２４であり、磁極歯部３０は、その周方向の中心が、時計の１２時と６時の位置となるように２個所に形成されている。図６（ｂ）は、Ｕ相コイル１０の負荷側の側面固定子鉄心２５であり、磁極歯部３１は、その周方向の中心が、反負荷側の側面固定子鉄心２４に形成された磁極歯部３０の中心に対し、電気角でπ（ｒａｄ）ずれた位置に形成されている。この結果、背面固定子鉄心２１（図中省略）を通して４極の磁極が、Ｕ相コイル１０を挟んで側面固定子鉄心２４・２５の磁極歯部３０・３１により、内周側の周方向に交互に形成される。


【手続補正７】
【補正対象書類名】明細書
【補正対象項目名】００２６
【補正方法】変更
【補正の内容】
【００２６】  図６（ｃ）は、Ｖ相コイル１１の反負荷側の側面固定子鉄心２６であり、磁極歯部３２は、その周方向の中心が、Ｕ相コイル１０の反負荷側の側面固定子鉄心２４に形成された磁極歯部３０の中心に対し、電気角で２π／３（ｒａｄ）ずらして構成されている。図６（ｄ）は、Ｖ相コイル１１の負荷側の側面固定子鉄心２７であり、磁極歯部３３は、その周方向の中心が、反負荷側の側面固定子鉄心２６に形成された磁極歯部３２の中心に対し、電気角でπ（ｒａｄ）ずれた位置に形成されている。この結果、Ｕ相コイル１０の場合と同様に、背面固定子鉄心２２（図中省略）を通して４極の磁極が、Ｖ相コイル１１を挟んで側面固定子鉄心２６・２７の磁極歯部３２・３３により、内周側の周方向に交互に形成される。


【手続補正８】
【補正対象書類名】明細書
【補正対象項目名】００２７
【補正方法】変更
【補正の内容】
【００２７】  図６（ｅ）は、Ｗ相コイル１２の反負荷側の側面固定子鉄心２８であり、磁極歯部３４は、その周方向の中心が、Ｕ相コイル１０の反負荷側の側面固定子鉄心２４に形成された磁極歯部３０の中心に対し、電気角で４π／３（ｒａｄ）ずらして構成されている。図６（ｆ）は、Ｗ相コイル１２の負荷側の側面固定子鉄心２９であり、磁極歯部３５は、その周方向の中心が、反負荷側の側面固定子鉄心２８に形成された磁極歯部３４の中心に対し、電気角でπ（ｒａｄ）ずれた位置に形成されている。この結果、Ｕ・Ｖ相の場合と同様に、背面固定子鉄心２３（図中省略）を通して４極の磁極が、Ｗ相コイル１２を挟んで側面固定子鉄心２８・２９の磁極歯部３４・３５により、内周側の周方向に交互に形成される。


【手続補正９】
【補正対象書類名】明細書
【補正対象項目名】００２９
【補正方法】変更
【補正の内容】
【００２９】  この実施の形態のものにおいては、例えば、Ｕ相コイル１０により発生した磁束は、外周側の背面固定子鉄心２１→側面固定子鉄心２４→磁極歯部３０→所定のエヤーギャップ→カゴ形回転子８０→所定のエヤーギャップ→磁極歯部３１→側面固定子鉄心２５→背面固定子鉄心２１と巡る磁路を構成し、リング状のコイル１０により軸方向に発生した磁束の変化を回転方向の磁束の変化に変えることができる。Ｖ・Ｗ相コイル１１・１２により発生した磁束も、電源の位相差に対応して磁極歯部３２〜３５を周方向に電気角で２π／３（ｒａｄ）ずつずらしているため同様に作用させることができ、この結果、コイル１０〜１２に三相電源を供給することにより、回転軸９０を中心とする三相の回転磁界が発生し、電磁誘導作用によりカゴ形回転子８０を回転駆動させることができる。更に、従来の三相誘導電動機と同様に、Ｕ・Ｖ・Ｗ相のコイルのうち、任意の２つのコイルを電源に対して入れ替え、逆接続とすることにより相回転の順序が反対となり、カゴ形回転子８０に働くトルクの方向が逆向きとなるため、回転軸９０を逆回転させることができる。また、コイル１０〜１２の巻き方向が同一でない場合は、当該磁極歯部を、回転軸の周方向に電気角でπ（ｒａｄ）ずらす等により、同様に作用させることができる。


【手続補正１０】
【補正対象書類名】図面
【補正対象項目名】図３
【補正方法】変更
【補正の内容】
【図３】
2003333811.tif 000001
【手続補正１１】
【補正対象書類名】図面
【補正対象項目名】図６
【補正方法】変更
【補正の内容】
【図６】
2003333811.tif 000002